(57)【要約】【解決課題】  消費電力を低減させつつ、ユーザにとって利便性の高い画像処理装置を提供する。【解決手段】  低消費電力モードとされているときに、ＣＰＵ２２が表示装置１２への操作画面の描画及びデバイスの駆動の制御を停止すると共にＣＰＵ４２が作動を停止しており、ＣＰＵ４２は通常駆動モードに移行したときにＣＰＵ２２よりも早く表示装置１２への操作画面の描画の制御が可能な状態となり、ＣＰＵ４２がＣＰＵ２２による表示装置１２への操作画面の描画の制御が開始されるまでの間、ＮＶＲＡＭ５０に記憶されている画面情報に基づき表示装置１２に操作画面を表示させると共に、操作入力部１４より入力する処理条件情報により示される処理条件を操作画面の設定部に設定する制御を行っている。【選択図】図１
2007030274.tif 000002
【特許請求の範囲】
【請求項１】
所定の画像処理を実行するデバイスを備えると共に、前記デバイスに通常の供給量の駆動電力を供給する通常駆動モードと前記デバイスへの駆動電力の供給量を前記通常駆動モードより減少させて消費電力を低下させる低消費電力モードとを備えた画像処理装置であって、
前記画像処理に関する処理条件が設定される設定部を備えた操作画面を表示する表示手段と、
前記表示手段に表示された前記操作画面の前記設定部に設定する前記処理条件を示す処理条件情報を入力する入力手段と、
前記通常駆動モードとされているときに前記表示手段への前記操作画面の描画及び前記デバイスの駆動を制御し、前記低消費電力モードに移行したときに前記表示手段への前記操作画面の描画及び前記デバイスの駆動の制御を停止する第１制御手段と、
前記低消費電力モードに移行したときに前記操作画面の描画に必要な画面情報を記憶する記憶手段と、
前記低消費電力モードに移行したときに作動を停止し、前記通常駆動モードに移行したときに前記第１制御手段よりも早く前記表示手段への前記操作画面の描画の制御が可能な状態となり、前記第１制御手段による前記表示手段への前記操作画面の描画の制御が開始されるまでの間、前記記憶手段に記憶されている前記画面情報に基づき前記表示手段に前記操作画面を表示させると共に、前記入力手段より入力する前記処理条件情報により示される処理条件を前記操作画面の前記設定部に設定する制御を行う第２制御手段と、
を備えた画像処理装置。
【請求項２】
前記第２制御手段は、前記第２制御手段により前記操作画面の描画の制御を開始してから前記第１制御手段により前記操作画面の描画の制御が開始されるまでの間に前記入力手段より入力した前記処理条件情報を前記記憶手段に記憶させる制御を行い、
前記第１制御手段は、前記操作画面の描画の制御を開始したときに前記処理条件情報を前記記憶手段から読み出し、当該処理条件情報により示される処理条件が前記設定部に設定された前記操作画面を前記表示手段に表示させる
請求項１記載の画像処理装置。
【請求項３】
前記記憶手段に、前記画面情報と共に前記低消費電力モードに移行したときに前記操作画面の前記設定部に設定された処理条件を示す処理条件情報をさらに記憶するものとし、
前記第２制御手段は、前記通常駆動モードに移行するときに、前記記憶手段に記憶されている前記画面情報及び前記処理条件情報に基づき、当該処理条件情報により示される処理条件が前記設定部に設定された前記操作画面を前記表示手段に表示させる
請求項１又は請求項２記載の画像処理装置。
【請求項４】
前記記憶手段を、不揮発性のものとした
請求項１乃至請求項３の何れか１項記載の画像処理装置。
【請求項５】
装置本体の電源をオフ状態とする電源オフモードをさらに備えたものとし、
前記記憶手段は、前記電源オフモードに移行したときに前記操作画面の描画に必要な画面情報をさらに記憶し、
前記第２制御手段は、前記画像処理装置の電源がオン状態となったときに、前記第１制御手段による前記表示手段への前記操作画面の描画の制御が開始されるまでの間、前記記憶手段に記憶されている前記画面情報に基づき前記表示手段に前記操作画面を表示させる
請求項４記載の画像処理装置。
【発明の詳細な説明】
【技術分野】
【０００１】
この発明は、所定の画像処理を実行するデバイスを備えると共に、前記デバイスに通常の供給量の駆動電力を供給する通常駆動モードと前記デバイスへの駆動電力の供給量を前記通常駆動モードより減少させて消費電力を低下させる低消費電力モードとを備えた画像処理装置に関するものである。
【背景技術】
【０００２】
近年、環境保護の観点から情報処理装置に対する省電力化の要望が高まっており、米国環境保護庁が推進しているエナジー・スター・プログラム（Energy Star program）や日本国の省エネ法（エネルギーの使用の合理化に関する法律）等により省エネルギー基準値が定められている。
【０００３】
このため、デジタル複合機、プリンタ等の画像処理装置には、内部に備えられ、かつ画像処理を行う各種のデバイスに対して通常の供給量の駆動電力を供給する通常駆動モードと共に、前記デバイスへの駆動電力の供給を停止又は駆動電力の供給量を減少させて消費電力を低減させる低消費電力モード（所謂、スリープモード）を備えて、画像処理を行わない待機期間の省電力化を図っている。
【０００４】
また、この種の画像処理装置は、低消費電力化を更に促進するため、前記デバイスに加えて、装置全体の動作を制御しているＣＰＵ（中央処理装置）、ＲＡＭ、ＨＤＤ（ハードディスク・ドライブ）等により構成されたコントローラの消費電力を減少させる必要性が高まってきている。
【０００５】
図６には、コントローラの消費電力を減少させることを目的として以下に示す方式Ａ、方式Ｂ、方式Ｃの３種類の低消費電力モードを適用した場合の消費電力と低消費電力モードから通常駆動モードへ移行（復帰）するまでの移行時間（復帰時間）との関係例が示されている。
方式Ａ：コントローラへのクロックの供給を停止。
方式Ｂ：ＲＡＭに通常駆動モードへの復帰に必要な情報を記憶し、ＲＡＭとモードの移行に必要な一部のデバイス以外への駆動電力供給を停止。
方式Ｃ：ＨＤＤに通常駆動モードへの復帰に必要な情報を記憶し、ＨＤＤとモードの移行に必要な一部のデバイス以外への駆動電力供給を停止。
【０００６】
この場合、図６に示されるように、各方式での消費電力は方式Ａ＞方式Ｂ＞方式Ｃとなるが、各方式での移行時間は方式Ａ＜方式Ｂ＜方式Ｃとなり、コントローラの消費電力を低下させる方式ほど低消費電力モードから通常駆動モードへの移行時間が長くなっている。
【０００７】
しかし、この移行時間の間、コントローラは、完全に通常の駆動状態となっていないため、ユーザからの画像処理装置に対する操作を検出することができず、ユーザからの指示操作を受け付けることができない。よって、適用する低消費電力モードによるコントローラの消費電力が低くなるほど移行時間が長くなり、この移行時間の間はユーザが指示操作を行うことできないため、ユーザにとって利便性が低い、という問題点があった。
【０００８】
そこで、この問題点を解決するために適用できる技術として、特許文献１には、画像処理装置に、メインＣＰＵに加えて、メインＣＰＵよりも低消費電力モードから通常駆動モードへの移行時間の短いサブＣＰＵを設け、メインＣＰＵで表示装置（ＬＣＤ）の制御が困難な場合に、サブＣＰＵにより表示装置に所定画面（初期画面やエラー画面）を表示させる制御を行う技術が開示されている。
【特許文献１】特開２００３−１４１５０１公報
【発明の開示】
【発明が解決しようとする課題】
【０００９】
しかしながら、特許文献１に開示されている技術では、移行時間の間に表示装置に所定画面を表示することができるのみであり、コントローラでユーザからの指示操作を受け付けることができず、ユーザが指示操作を行うことできないため、必ずしもユーザにとっての利便性を高めることができるとは言えない。
【００１０】
本発明は上記問題点を解決するためになされたものであり、消費電力を低減させつつ、ユーザにとって利便性の高い画像処理装置を提供することを目的とする。
【課題を解決するための手段】
【００１１】
上記目的を達成するため、請求項１に記載の発明は、所定の画像処理を実行するデバイスを備えると共に、前記デバイスに通常の供給量の駆動電力を供給する通常駆動モードと前記デバイスへの駆動電力の供給量を前記通常駆動モードより減少させて消費電力を低下させる低消費電力モードとを備えた画像処理装置であって、前記画像処理に関する処理条件が設定される設定部を備えた操作画面を表示する表示手段と、前記表示手段に表示された前記操作画面の前記設定部に設定する前記処理条件を示す処理条件情報を入力する入力手段と、前記通常駆動モードとされているときに前記表示手段への前記操作画面の描画及び前記デバイスの駆動を制御し、前記低消費電力モードに移行したときに前記表示手段への前記操作画面の描画及び前記デバイスの駆動の制御を停止する第１制御手段と、前記低消費電力モードに移行したときに前記操作画面の描画に必要な画面情報を記憶する記憶手段と、前記低消費電力モードに移行したときに作動を停止し、前記通常駆動モードに移行したときに前記第１制御手段よりも早く前記表示手段への前記操作画面の描画の制御が可能な状態となり、前記第１制御手段による前記表示手段への前記操作画面の描画の制御が開始されるまでの間、前記記憶手段に記憶されている前記画面情報に基づき前記表示手段に前記操作画面を表示させると共に、前記入力手段より入力する前記処理条件情報により示される処理条件を前記操作画面の前記設定部に設定する制御を行う第２制御手段と、を備えている。
【００１２】
請求項１記載の発明によれば、表示手段により、画像処理に関する処理条件が設定される設定部を備えた操作画面が表示され、入力手段により、表示手段に表示された操作画面の設定部に設定する処理条件を示す処理条件情報が入力される。なお、上記表示手段には、ＣＲＴディスプレイ、プラズマ・ディスプレイ、有機ＥＬディスプレイ、液晶ディスプレイ等のディスプレイが含まれる。また、入力手段による入力には、タッチパネル、キーボード、ポインティング・デバイス等からの入力が含まれる。
【００１３】
そして、本発明によれば、第１制御手段により、通常駆動モードとされているときに表示手段への操作画面の描画及びデバイスの駆動が制御され、低消費電力モードに移行したときに表示手段への操作画面の描画及びデバイスの駆動の制御が停止されており、低消費電力モードに移行したときに操作画面の描画に必要な画面情報が記憶手段に記憶される。そして、第２制御手段は、低消費電力モードに移行したときに作動を停止しており、通常駆動モードに移行したときに第１制御手段よりも早く表示手段への操作画面の描画の制御が可能な状態となり、第１制御手段による表示手段への操作画面の描画の制御が開始されるまでの間、記憶手段に記憶されている画面情報に基づき表示手段に操作画面を表示させると共に、入力手段より入力する処理条件情報により示される処理条件を操作画面の設定部に設定する制御を行う。
【００１４】
このように請求項１記載の発明によれば、低消費電力モードとされているときに、第１制御手段が表示手段への操作画面の描画及びデバイスの駆動の制御を停止すると共に第２制御手段が作動を停止しているので、コントローラの消費電力を低減させることができる。
【００１５】
また、第２制御手段は通常駆動モードに移行したときに第１制御手段よりも早く表示手段への操作画面の描画の制御が可能な状態となり、第２制御手段が第１制御手段による表示手段への操作画面の描画の制御が開始されるまでの間、記憶手段に記憶されている画面情報に基づき表示手段に操作画面を表示させると共に、入力手段より入力する処理条件情報により示される処理条件を操作画面の設定部に設定する制御を行っているので、第１制御手段による制御が開始されるまでの間、ユーザは第２制御手段の制御により表示された操作画面の設定部に入力手段から処理条件を設定することができるため、ユーザにとって利便性を高めることができる。
【００１６】
さらに、第１制御手段を第２制御手段よりも処理の能力の高いＣＰＵとすることにより、通常駆動モードの場合に複雑な画面描画も可能となる。
【００１７】
なお、本発明は、請求項２記載の発明のように、前記第２制御手段により前記操作画面の描画の制御を開始してから前記第１制御手段により前記操作画面の描画の制御が開始されるまでの間に前記入力手段より入力した前記処理条件情報を前記記憶手段に記憶させる制御を行い、前記第１制御手段は、前記操作画面の描画の制御を開始したときに前記処理条件情報を前記記憶手段から読み出し、当該処理条件情報により示される処理条件が前記設定部に設定された前記操作画面を前記表示手段に表示させることが好ましい。なお、前記画面情報及び前記処理条件情報を記憶手段する記憶手段は物理的に別な記憶手段であってもよい。
【００１８】
また、本発明は、請求項３記載の発明のように、前記記憶手段に、前記画面情報と共に前記低消費電力モードに移行したときに前記操作画面の前記設定部に設定された処理条件を示す処理条件情報をさらに記憶するものとし、前記第２制御手段は、前記通常駆動モードに移行するときに、前記記憶手段に記憶されている前記画面情報及び前記処理条件情報に基づき、当該処理条件情報により示される処理条件が前記設定部に設定された前記操作画面を前記表示手段に表示させることが好ましい。なお、前記画面情報及び前記処理条件情報を記憶手段する記憶手段は物理的に別な記憶手段であってもよい。
【００１９】
また、本発明は、請求項４記載の発明のように、前記記憶手段を、不揮発性のものとすることが好ましい。
【００２０】
また、請求項４記載の発明は、請求項５記載の発明のように、装置本体の電源をオフ状態とする電源オフモードをさらに備えたものとし、前記記憶手段は、前記電源オフモードに移行したときに前記操作画面の描画に必要な画面情報をさらに記憶し、前記第２制御手段は、前記画像処理装置の電源がオン状態となったときに、前記第１制御手段による前記表示手段への前記操作画面の描画の制御が開始されるまでの間、前記記憶手段に記憶されている前記画面情報に基づき前記表示手段に前記操作画面を表示させるようにしてもよい。
【発明の効果】
【００２１】
以上説明したように、本発明によれば、低消費電力モードとされているときに、第１制御手段が表示手段への操作画面の描画及びデバイスの駆動の制御を停止すると共に第２制御手段が作動を停止しているので、コントローラの消費電力を低減させることができる。
【００２２】
また、第２制御手段は通常駆動モードに移行したときに第１制御手段よりも早く表示手段への操作画面の描画の制御が可能な状態となり、第２制御手段が第１制御手段による表示手段への操作画面の描画の制御が開始されるまでの間、記憶手段に記憶されている画面情報に基づき表示手段に操作画面を表示させると共に、入力手段より入力する処理条件情報により示される処理条件を操作画面の設定部に設定する制御を行っているので、第１制御手段による制御が開始されるまでの間、ユーザは第２制御手段の制御により表示された操作画面の設定部に入力手段から処理条件を設定することができるため、ユーザにとって利便性を高めることができる、という優れた効果を有する。
【発明を実施するための最良の形態】
【００２３】
以下、図面を参照して、本発明の実施の形態について詳細に説明する。なお、本実施の形態では本発明をデジタル複合機として構成された画像処理装置に適用した場合について説明する。
【００２４】
図１には、画像処理装置１０の機能ブロック図が示されている。
【００２５】
同図に示すように本実施の形態に係る画像処理装置１０には、画像処理に関する各種の処理条件が設定される設定部を備えた操作画面を表示する表示装置１２と、ユーザからの各種の指示を入力するための操作パネル等の操作入力部１４と、画像処理に関する制御を行う第１コントローラ２０と、第１コントローラ２０が表示装置１２を制御不可の間、表示装置１２への操作画面の表示を制御する第２コントローラ４０と、図示しない電源と接続され、画像処理装置１０に備えられた各デバイスに対して駆動電力を供給する供給電力制御部７０と、を備えている。
【００２６】
なお、供給電力制御部７０は電源から供給された電力を所定電圧に変圧して第１コントローラ２０及び第２コントローラ４０に所定の駆動電力を供給している。
【００２７】
第１コントローラ２０は、装置全体の動作を司るＣＰＵ（中央処理装置）２２と、不図示の原稿載置台に載置された原稿の画像を光学的に読み取る画像入力部２４と、画像入力部２４で読み取った画像データを一時的に記憶するＲＡＭ２６と、複数種類のサイズの記録用紙を収容し、ＲＡＭ２６に記憶された画像データに基づき指定されたサイズの用紙にトナー像を記録する画像出力部２８と、ＣＰＵ２２において実行される装置全体を制御する制御プログラムや画像データの画像サイズを拡大／縮小する画像サイズ変換処理プログラム、後述する第１コントローラ低消費電力モード移行処理プログラム、第１コントローラ通常駆動モード移行処理プログラムを含む各種プログラムや各種パラメータ等が予め記憶されたＲＯＭ３０と、を備えている。
【００２８】
一方、第２コントローラ４０は、第２コントローラ４０に関する動作を制御するＣＰＵ４２と、各種データを一時的に記憶するＲＡＭ４４と、表示装置１２に対する各種情報の表示を制御する表示制御部４６と、ＣＰＵ４２において実行される第２コントローラ４０を制御する制御プログラムや、後述する第２コントローラ低消費電力モード移行処理プログラム、第２コントローラ通常駆動モード移行処理プログラムを含む各種プログラムが予め記憶されたＲＯＭ４８と、フラッシュメモリ等の不揮発性のメモリにより構成されたＮＶＲＡＭ（Non Volatile RAM）５０と、操作入力部１４から操作が行われた際に各種の情報が入力する入出力ポート５２と、を備えている。
【００２９】
上記第１コントローラ２０のＣＰＵ２２、画像入力部２４、ＲＡＭ２６、画像出力部２８、及びＲＯＭ３０はバスＢＵＳ１を介して相互に接続されている。従って、ＣＰＵ２２は、画像入力部２４による画像読み取り作動の制御と、ＲＡＭ２６及びＲＯＭ３０に対するアクセスと、画像出力部２８の作動の制御と、を各々行うことができる。
【００３０】
一方、上記第２コントローラ４０のＣＰＵ４２、ＲＡＭ４４、表示制御部４６、ＲＯＭ４８、ＮＶＲＡＭ５０、及び入出力ポート５２はバスＢＵＳ２を介して相互に接続されている。従って、ＣＰＵ４２は、ＲＡＭ４４、ＲＯＭ４８、ＮＶＲＡＭ５０に対するアクセスと、操作入力部１４に対するユーザの操作による指示内容の把握と、表示制御部４６を制御しての表示装置１２への各種情報の表示と、を各々行うことができる。
【００３１】
さらに、第１コントローラ２０のバスＢＵＳ１と第２コントローラ４０のバスＢＵＳ２はバスブリッジ６０を介して接続されており、第１コントローラ２０及び第２コントローラ４０はバスブリッジ６０を介して相互にアクセス可能となっている。
【００３２】
従って、第１コントローラ２０のＣＰＵ２２は、バスブリッジ６０を介して第２コントローラ４０のＲＡＭ４４、ＲＯＭ４８、ＮＶＲＡＭ５０に対するアクセスと、操作入力部１４から送信され、バスブリッジ６０を介して入力された情報を受信することにより操作入力部１４に対するユーザの操作による指示内容の把握と、表示制御部５０を制御しての表示装置１２への各種情報の表示と、を各々行うことができる。
【００３３】
一方、第２コントローラ４０のＣＰＵ４２は、バスブリッジ６０を介して第１コントローラ２０のＲＡＭ２６、ＲＯＭ３０に各々アクセスすることができる。
【００３４】
ところで、本実施の形態に係る画像処理装置１０は、第１コントローラ２０及び第２コントローラ４０に所定の駆動電力を供給して記録用紙へ画像を記録する画像処理を実行可能な状態とする通常駆動モードと、第１コントローラ２０及び第２コントローラ４０への駆動電力の供給を停止させることにより消費電力を通常駆動モードより少なくする低消費電力モードと、を備えており、モードの移行を制御するモード移行制御部７２が設けられている。なお、この場合の電力の供給停止とは完全に停止することを指すのではなく、モード移行に必要な一部デバイスを除いて電力の供給を停止することを意味する。
【００３５】
モード移行制御部７２は、操作入力部１４、入出力ポート５２、及び供給電力制御部７０と接続されており、第２コントローラ４０から後述する低消費電力モードへの移行を指示する移行指示信号を受信すると、供給電力制御部７０へ電力供給の停止を指示する電力供給停止指示信号を供給電力制御部７０へ出力する。
【００３６】
供給電力制御部７０は、電力供給停止指示信号を受信すると、第１コントローラ２０及び第２コントローラ４０への電力の供給を停止する。
【００３７】
一方、モード移行制御部７２は、第１コントローラ２０及び第２コントローラ４０への駆動電力の供給が停止した低消費電力モードの状態において、操作入力部１４に対して操作が行われと、供給電力制御部７０へ電力供給の再開を指示する電力供給開始指示信号を供給電力制御部７０へ出力し、その後、第１コントローラ２０及び第２コントローラ４０へ通常駆動力モードへの移行を指示する移行指示信号を出力する。
【００３８】
供給電力制御部７０は、電力供給開始指示信号を受信すると、第１コントローラ２０及び第２コントローラ４０への駆動電力の供給を開始する。
【００３９】
第２コントローラ４０のＣＰＵ４４は、入出力ポート５２を介して通常駆動力モードへの移行を指示する移行指示信号を受信すると、後述する第２コントローラ通常駆動モード移行処理を行う。
【００４０】
また、第１コントローラ２０のＣＰＵ２２は、第２コントローラ４０及びバスブリッジ６０を介して通常駆動力モードへの移行を指示する移行指示信号を受信すると、後述する第１コントローラ通常駆動モード移行処理を行う。バスブリッジ６０を介した移行指示信号の送信には、例えばＰＣＩバスで規定されたＰＭＥ信号（Power Management Event）等が使用可能である。
【００４１】
なお、本実施の形態では、ＣＰＵ２２は画像入力部２４及び画像出力部２８を含む装置全体の動作を制御しているため、処理速度の速いＣＰＵを用いる必要があるが、ＣＰＵ４２は後述する第２コントローラ通常駆動モード移行処理において低消費電力モードから通常駆動モードへの切り替え時の操作画面の表示を制御するのみであるため、ＣＰＵ２２よりも処理速度が低い安価なＣＰＵでよい。本実施の形態では、ＣＰＵ４２の処理速度をＣＰＵ２２よりも遅いものとしており、これにより、本発明を適用した場合であっても画像処理装置１０のコストアップを低く抑えている。
【００４２】
次に、本実施の形態の係る画像処理装置１０の作用を説明する
最初に、画像処理装置１０の画像入力部２４により原稿画像を読み取り、読み取った画像データを画像出力部２８より記録用紙に記録する際の動作の流れを簡単に説明する。
【００４３】
画像処理装置１０は、通常駆動モードにおいて、第１コントローラ２０のＣＰＵ２２が、バスブリッジ６０を介して表示制御部４６を制御することにより表示装置１２に表示される操作画面（不図示）の描画を制御している。
【００４４】
本実施の形態では、操作画面に画像入力部２４で読み取った画像を拡大又は縮小して記録用紙に記録するための倍率の設定や記録対象とする記録用紙のサイズを設定するための設定部が設けられており、ユーザが倍率や記録対象とする記録用紙のサイズを設定することが可能となっている。ＣＰＵ２２は、ユーザによって操作入力部１４に対して倍率や記録対象とする記録用紙のサイズを設定する操作が行われて、操作入力部１４より送信され、入出力ポート５２及びバスブリッジ６０を介して受信した処理条件を示す処理条件情報に従い操作画面の設定部に処理条件を設定する。
【００４５】
ユーザによって画像入力部２４の図示しない原稿載置台に原稿画像が載置され、操作入力部１４から操作画面の設定部に倍率や記録対象とする記録用紙のサイズが設定されて記録開始の操作指示が行われると、第１コントローラ２０のＣＰＵ２２は、画像入力部２４を制御して原稿画像を読み取り、読み取った画像データをＲＡＭ２６に一旦記憶する。
【００４６】
そして、ＣＰＵ２２は、画像サイズ変換処理プログラムを実行してＲＡＭ２６に記憶した画像データにより示される画像を表示装置１２に表示された操作画面の設定部に設定された倍率で変換し、変換後の画像データに基づいて画像出力部２８を制御して操作画面の設定部に設定された記録対象とするサイズの記録用紙に画像を記録する制御を行っている。
【００４７】
ところで、第１コントローラ２０のＣＰＵ２２は、供給電力制御部７０から所定の駆動電力供給が行われて制御プログラムが起動すると、後述する第１コントローラ低所電力モード移行処理プログラムを実行しており、操作入力部１４に対して操作が行われず、所定時間（本実施の形態では１０分間）操作入力部１４から情報を受信しない場合、低消費電力モードへの移行を指示する移行指示信号をバスブリッジ６０及び入出力ポート５２を介してモード移行制御部７２へ出力する。
【００４８】
次に、図２を参照しつつ、本実施の形態に係る第１コントローラ低所電力モード移行処理プログラムの処理の流れを説明する。なお、図２は、この際にＣＰＵ２２によって実行される第１コントローラ低所電力モード移行処理プログラムの処理の流れを示すフローチャートであり、当該プログラムは、ＲＯＭ３０の所定の領域に予め記憶されている。また、第１コントローラ低所電力モード移行処理プログラムでは、最後に操作入力部１４に対して操作が行われた時点以降の時間を計時する変数として経過時間ｔを備えており、経過時間ｔは予めゼロに初期化されている。
【００４９】
同図のステップ１００では、操作入力部１４に対して操作が行われた否かを操作入力部１４から情報を受信したか否かにより判定し、肯定判定であった場合はステップ１０２へ移行し、否定判定であった場合はステップ１０４へ移行する。ステップ１０２では、ユーザにより操作入力部１４に対して操作が行われた時点以降の時間を計時するため経過時間ｔをゼロに初期化する。
【００５０】
一方、ステップ１０４では、経過時間ｔが所定時間（本実施の形態では１０分間）を経過したか否かを判定し、肯定判定であった場合はステップ１０６へ移行し、否定判定であった場合は経過時間ｔにステップ１００〜ステップ１０４までの処理時間を加算してステップ１００へ移行し、経過時間ｔの計時を継続する。
【００５１】
ステップ１０６では、第２コントローラ４０に対して低消費電力モード移行準備コマンドを送信する。
【００５２】
第２コントローラ４０のＣＰＵ４２は、低消費電力モード移行準備コマンドを受信すると、第２コントローラ低所電力モード移行処理プログラムを実行する（詳細後述）。
【００５３】
ステップ１０８では、操作画面を表示装置１２に描画する際に必要な画面情報及びユーザにより設定部に設定された処理条件を示す処理条件情報を第２コントローラ４０に対して送信する。すなわち、本実施の形態の操作画面は、画像出力部２８に収容されたサイズの記録用紙から記録対象とする記録用紙のサイズを選択可能となっているため、画像出力部２８に収容されている記録用紙のサイズ情報等を画面情報として送信する。なお、ここでは、操作画面に倍率や記録対象とする記録用紙のサイズを設定する設定部を設けた場合について説明したが、本発明はこれに限定されるものではなく、画像処理装置が行う画像処理に応じて適宜設定部を設け、当該操作画面の描画に必要な画面情報を送信すればよい。
【００５４】
次のステップ１１０では、モード移行制御部７２へ低消費電力モードへの移行を指示する移行指示信号を送信して本第１コントローラ低所電力モード移行処理を終了する。
【００５５】
これにより、モード移行制御部７２は、供給電力制御部７０へ電力供給の停止を指示する電力供給停止指示信号を供給電力制御部７０へ出力し、供給電力制御部７０は、電力供給停止指示信号を受信すると、第１コントローラ２０及び第２コントローラ４０への駆動電力の供給を停止するため、画像処理装置１０の消費電力が低下する。
【００５６】
次に、図３を参照しつつ、上述した低消費電力モード移行準備コマンドを受信した際に第２コントローラ４０のＣＰＵ４２により実行される第２コントローラ低所電力モード移行処理プログラムの処理の流れを説明する。なお、当該プログラムは、ＲＯＭ４８の所定の領域に予め記憶されている。
【００５７】
同図のステップ１５０では、上述した第１コントローラ低所電力モード移行処理のステップ１０８において第１コントローラ２０から送信された画面情報及び処理条件情報を受信する。
【００５８】
次のステップ１５２では、受信した画面情報及び処理条件情報を不揮発性のＮＶＲＡＭ５０の所定領域に記憶させて本第２コントローラ低所電力モード移行処理を終了する。
【００５９】
このように、画面情報及び処理条件情報をＮＶＲＡＭ５０に記憶させることにより、第２コントローラへの駆動電力の供給が停止した場合であっても、画面情報及び処理条件情報を保持しつづけることができる。
【００６０】
次に、第１コントローラ２０及び第２コントローラ４０への駆動電力の供給が停止した低消費電力モードにおいて、ユーザによって操作入力部１４に対して操作が行われた際の動作の流れを簡単に説明する。
【００６１】
ユーザによって操作入力部１４に対して操作が行われると操作入力部１４からモード移行制御部７２へ操作されたボタンに応じた情報が送信される。
【００６２】
モード移行制御部７２は、モード移行制御部７２から情報を受信すると、供給電力制御部７０へ駆動電力供給の再開を指示する電力供給開始指示信号を供給電力制御部７０へ出力する。
【００６３】
これにより、供給電力制御部７０は、電力供給開始指示信号を受信すると、第１コントローラ２０及び第２コントローラ４０への駆動電力の供給を開始する。
【００６４】
また、モード移行制御部７２は、電力供給開始指示信号を出力して第１コントローラ２０及び第２コントローラ４０の電力供給が再開した後に、第１コントローラ２０及び第２コントローラ４０へ通常駆動力モードへの移行を指示する移行指示信号を出力する。
【００６５】
第１コントローラ２０は、当該移行指示信号を受信すると第１コントローラ通常駆動モード移行処理を実行し、第２コントローラ４０は、当該移行指示信号を受信すると第２コントローラ通常駆動モード移行処理を実行する。
【００６６】
次に、図４を参照しつつ、上述した移行指示信号を受信した際に第２コントローラ４０のＣＰＵ４２により実行される第２コントローラ通常駆動モード移行処理プログラムの処理の流れを説明する。なお、当該プログラムは、ＲＯＭ４８の所定の領域に予め記憶されている。
【００６７】
同図のステップ２００では、ＮＶＲＡＭ５０の所定領域に記憶されている画面情報及び処理条件情報を読み出し、次のステップ２０２では、画面情報に基づいて表示制御部４６を制御して表示装置１２の操作画面を表示させると共に、処理条件情報に基づいて設定部の処理条件を設定して低消費電力モードとなる前の通常駆動モードでの表示状態を復帰させる。
【００６８】
次のステップ２０４では、後述する第1コントローラ２０から送信される表示制御移行指示信号の受信待ちを行い、表示制御移行指示信号を受信するとステップ２０６へ移行する。なお。この表示制御移行指示信号の受信待ちの間、ＣＰＵ４２は、ユーザが操作入力部１４より操作画面の設定部の処理条件を変更する操作を行うと、操作入力部１４より送信され、入出力ポート５２を介して受信した処理条件を操作画面の設定部に設定して表示させる。また、ＣＰＵ４２は、表示制御移行指示信号の受信待ちの間に受信した処理条件を示す処理条件情報や記録開始の指示情報をＲＡＭ４４に記憶させる。
【００６９】
ステップ２０６では、ＲＡＭ４４に記憶された処理条件情報や指示情報を第１コントローラ２０へ送信して本第２コントローラ通常駆動モード移行処理を終了する。
【００７０】
次に、図５を参照しつつ、モード移行制御部７２から上述した移行指示信号を受信した際に第１コントローラ２０のＣＰＵ２２により実行される第１コントローラ通常駆動モード移行処理プログラムの処理の流れを説明する。なお、当該プログラムは、ＲＯＭ３０の所定の領域に予め記憶されている。
【００７１】
同図のステップ２５０では、画像入力部２４及び画像出力部２８に備えられた各機器の調整処理（キャリブレーション）を実施すると共に、画像出力部２８に収納された記録用紙のサイズに関する情報を取得する。なお、この調整処理では、画像入力部２４及び画像出力部２８に備えられた機器の光学的な調整や、可動部の位置の補正等が行われるため、所定の調整時間が必要となる。
【００７２】
次のステップ２５２では、調整処理が完了すると表示装置１２への操作画面の描画の制御を第1コントローラ２０のＣＰＵ２２へ移行させる指示を示す表示制御移行指示信号を第２コントローラ４０へ送信する。これにより、上述した第２コントローラ４０のＣＰＵ４２で実行されている第２コントローラ通常駆動モード移行処理のステップ２０４が肯定判定されて、上述したステップ２０６において処理条件情報や指示情報が送信される。
【００７３】
次のステップ２５４では、第２コントローラ４０から送信された処理条件情報や指示情報を受信し、ステップ２５６では、ＣＰＵ２２によりバスブリッジ６０を介して表示制御部４６を制御して表示装置１２への操作画面の描画を制御するように切替を行う。そして、第２コントローラ４０から受信した処理条件情報により示される処理条件を設定部に設定した操作画面を表示させ、第２コントローラ４０のＣＰＵ４２で操作画面を表示させる制御を行っていた間にユーザが設定した表示状態に復帰させ、本第１コントローラ通常駆動モード移行処理を終了する。
【００７４】
以降、第１コントローラ２０のＣＰＵ２２が操作入力部１４より送信され、入出力ポート５２及びバスブリッジ６０を介して受信した処理条件情報に応じて操作画面を設定部の設定を変化させる。なお、第２コントローラ４０から受信した情報に記録開始の指示情報が含まれていた場合、ＣＰＵ２２の制御により原稿画像を読み取り及び記録用紙に画像の記録を実行する。
【００７５】
以上のように本実施の形態によれば、表示手段（ここでは、表示装置１２）は、画像処理に関する処理条件が設定される設定部を備えた操作画面を表示しており、入力手段（ここでは、操作入力部１４）から、表示手段に表示された操作画面の設定部に設定する処理条件を示す処理条件情報が入力される。第１制御手段（ここでは、ＣＰＵ２２）は、通常駆動モードとされているときに表示手段への操作画面の描画及びデバイスの駆動を制御し、低消費電力モードに移行したときに表示手段への操作画面の描画及びデバイスの駆動の制御を停止し、低消費電力モードに移行したときに操作画面の描画に必要な画面情報が記憶手段（ここでは、ＮＶＲＡＭ５０）に記憶される。
【００７６】
そして、第２制御手段（ここでは、ＣＰＵ４２）は、低消費電力モードに移行したときに作動を停止し、通常駆動モードに移行したときに第１制御手段よりも早く表示手段への操作画面の描画の制御が可能な状態となり、第１制御手段による表示手段への操作画面の描画の制御が開始されるまでの間、記憶手段に記憶されている画面情報に基づき表示手段に操作画面を表示させると共に、入力手段より入力する処理条件情報により示される処理条件を操作画面の設定部に設定する制御を行っているので、消費電力を低減させつつユーザにとって利便性を高めることができる。
【００７７】
また、本実施の形態によれば、第２制御手段は、第２制御手段により操作画面の描画の制御を開始してから第１制御手段により操作画面の描画の制御が開始されるまでの間に入力手段より入力した処理条件情報を記憶手段（ここでは、ＲＡＭ４４）に記憶させる制御を行い、第１制御手段は、操作画面の描画の制御を開始したときに処理条件情報を記憶手段から読み出し、当該処理条件情報により示される処理条件が設定部に設定された前記操作画面を表示手段に表示させるので、操作画面の描画の制御が第２制御手段から第１制御手段に移行した場合であっても、第２制御手段による制御を開始してから第１制御手段による制御が開始されるまでの間に操作画面の設定部に設定された処理条件を引き継ぐことができる。
【００７８】
また、本実施の形態によれば、記憶手段（ここでは、ＮＶＲＡＭ５０）に、画面情報と共に前記低消費電力モードに移行したときに操作画面の設定部に設定された処理条件を示す処理条件情報をさらに記憶するものとし、第２制御手段は、記憶手段に記憶されている画面情報及び処理条件情報に基づき、当該処理条件情報により示される処理条件が前記設定部に設定された前記操作画面を表示手段に表示させるので、低消費電力モードとなる前の通常駆動モードでの設定部の設定情報を継続して設定することができる。
【００７９】
また、本実施の形態によれば、前記記憶手段を、不揮発性のものとしているので、駆動電力の供給が停止した場合であっても画面情報及び設定情報を保持することができ、通常駆動モードに移行した際に低消費電力モードとなる前の操作画面の状態を表示させることができる。
【００８０】
なお、本実施の形態では、通常駆動モードと低消費電力モードを移行させる場合について説明したが、本発明はこれに限定されるものではなく、例えば、画像処理装置１０の電源をオフ状態とする電源オフモード（所謂、シャットダウン処理）への移行をさらに制御するものとし、ＮＶＲＡＭ５０に、通常駆動モード又は低消費電力モードから電源オフモードに移行する際に操作画面の表示に必要な画面情報を記憶し、ＣＰＵ４２は、次回の画像処理装置の電源オン時に、ＣＰＵ２２による表示制御部４６を介しての表示装置１２の制御が開始されるまでの間、ＮＶＲＡＭ５０に記憶した画面情報に基づき操作画面を表示させるように表示制御部４６を介しての表示装置１２を制御ものとしてもよい。これにより、電源がオンされた場合にすみやかに操作画面を表示できるため、ユーザにとって利便性が向上する。
【００８１】
その他、本実施の形態で説明した画像処理装置１０の構成（図１参照。）は、一例であり、本発明の主旨を逸脱しない範囲内において適宜変更可能であることは言うまでもない。
【００８２】
また、本実施の形態で説明した第１コントローラ低所電力モード移行処理プログラム（図２参照）、第２コントローラ低所電力モード移行処理プログラム（図３参照）、第２コントローラ通常駆動モード移行処理プログラム（図４参照）、及び第１コントローラ通常駆動モード移行処理プログラム（図５参照）の各処理の流れも一例であり、本発明の主旨を逸脱しない範囲内において適宜変更可能であることは言うまでもない。
【図面の簡単な説明】
【００８３】
【図１】実施の形態に係る画像処理装置全体の概略構成を示すブロック図である。
【図２】実施の形態に係る第１コントローラ低所電力モード移行処理プログラムの処理の流れを示すフローチャートである。
【図３】実施の形態に係る第２コントローラ低所電力モード移行処理プログラムの処理の流れを示すフローチャートである。
【図４】実施の形態に係る第２コントローラ通常駆動モード移行処理プログラムの処理の流れを示すフローチャートである。
【図５】実施の形態に係る第１コントローラ通常駆動モード移行処理プログラムの処理の流れを示すフローチャートである。
【図６】各低消費電力モードの方式の消費電力と低消費電力モードから通常駆動モードへ移行するまでの移行時間の関係を示すグラフである。
【符号の説明】
【００８４】
１０  画像処理装置
１２  表示装置
１４  操作入力部
２２  ＣＰＵ
２４  画像入力部
２８  画像出力部
４２  ＣＰＵ
５０  ＮＶＲＡＭ
７２  モード移行制御部
【図１】
2007030274.tif 000003
【図２】
2007030274.tif 000004
【図３】
2007030274.tif 000005
【図４】
2007030274.tif 000006
【図５】
2007030274.tif 000007
【図６】
2007030274.tif 000008